(57)【要約】【課題】係止具挿入部における端子係止具のがたつきを抑制し、端子金具の端子収容室内からの抜けを確実に阻止することができるコネクタの提供。【解決手段】本発明のコネクタ１は、係止具挿入部４が係止具挿入開口６と、端子係止具５が挿入される係止具挿入凹部７とで形成され、端子係止具５は係止具挿入開口６を塞ぐ長尺状の蓋体８と、蓋体８の長手方向の両側に設けられた一対の係止側板９、１０と、一対の係止側板９、１０間で蓋体８から並設された極間壁１１と、極間壁１１と一方の係止側板９間とを連結する連結蓋体１２とからなり、一対の係止側板９、１０には係止具挿入部４内の仮係止部１３に係合する仮係止突起１４及び係止具挿入部４内の第１本係止部３２に係合する第１本係止突起１５が設けられ、蓋体８の極間壁１１の近傍に係止具挿入部４内の第２本係止部１６に係合する第２本係止突起１７を設けたことを特徴とする。【選択図】図１
2010262849.tif 000002
【特許請求の範囲】
【請求項１】
複数の端子収容室が並設されたコネクタハウジングと、このコネクタハウジングの係止具挿入部に組み付けられて前記端子収容室に収容された端子金具と係合し前記端子収容室内からの抜けを阻止する端子係止具とを備えたコネクタであって、
前記係止具挿入部が前記コネクタハウジングの外周に形成された係止具挿入開口と、前記端子係止具の前記係止具挿入開口から内部に挿入される係止具挿入凹部とで形成され、
前記端子係止具は前記係止具挿入部に組み付けられた状態で前記係止具挿入開口を塞ぐ長尺状の蓋体と、この蓋体の長手方向の両側に設けられた一対の係止側板と、前記一対の係止側板間で前記蓋体から並設された極間壁と、この極間壁と一方の係止側板間とを連結し前記蓋体と平行に設けられた連結蓋体とからなり、
前記端子係止具の前記一対の係止側板には前記係止具挿入部内の仮係止部に係合する仮係止突起及び前記係止具挿入部内の第１本係止部に係合する第１本係止突起とが設けられ、
前記蓋体の前記極間壁の近傍に前記係止具挿入部内の前記第２本係止部に係合する第２本係止突起を設けたことを特徴とするコネクタ。
【請求項２】
請求項１記載のコネクタであって、
前記極間壁には、前記第２本係止部への前記第２本係止突起の係合状態を案内すると共に、前記係止具挿入部内の係止溝に係合するリブが設けられていることを特徴とするコネクタ。
【請求項３】
請求項１又は請求項２記載のコネクタであって、
前記端子収容室は、小径の電線の端末に接続された小端子金具が収容される小端子用収容室と、この小端子用収容室より大きく大径の電線の端末に接続された大端子用収容室とからなり、
前記端子係止具は、前記一方の係止側板と前記極間壁との間に前記蓋体と前記連結蓋体とを連結する隔壁により前記小端子用収容室に対応して区画された複数の端子挿入室が設けられ、前記他方の係止側板と前記極間壁との間に前記大端子用収容室に対応した端子挿入部が設けられていることを特徴とするコネクタ。
【請求項４】
請求項１〜３のいずれか一項に記載のコネクタであって、
前記係止側板の一側に前記仮係止突起がそれぞれ設けられ、前記係止側板の他側に前記第１本係止突起がそれぞれ設けられ、該第１本係止突起と同じ側に前記第２本係止突起が設けられ、該第２本係止突起は、前記蓋体から延設された可撓性アームと、この可撓性アームの先端側に設けられた突部とからなることを特徴とするコネクタ。
【請求項５】
請求項１〜４のいずれか一項に記載のコネクタであって、
前記コネクタハウジングには、前記第２本係止突起が挿入される溝部が設けられ、この溝部は前記コネクタハウジングに設けられた前記係止具挿入開口の縁部で開口していることを特徴とするコネクタ。
【発明の詳細な説明】
【技術分野】
【０００１】
本発明は、ワイヤーハーネス間を接続するコネクタにおいて、コネクタハウジングの端子収容室に収容された端子金具の端子収容室内からの抜けを阻止する端子係止具を備えたコネクタに関する。
【背景技術】
【０００２】
複数の端子収容室が並設されたコネクタハウジングと、このコネクタハウジングの端子収容室内からの抜けを阻止する端子係止具とを備えたコネクタが特許文献１で開示されている。
【０００３】
図９、図１０に示すように、特許文献１で開示されたコネクタ５０は、複数の端子収容室５１が並設されたコネクタハウジング５２と、このコネクタハウジング５２の係止具挿入部５３に組み付けられて端子収容室５１に収容された端子金具５４と係合し端子収容室５１内からの抜けを阻止する端子係止具５５とで形成されている。
【０００４】
コネクタハウジング５２には、係止具挿入部５３にロッキングアーム５６、５７が２箇所形成されており、一方のロッキングアーム５６はコネクタハウジング５２の一方の側部に形成され、他方のロッキングアーム５７はコネクタハウジング５２の他方の側部側に形成されている。また、端子収容室５１内には、可撓性係止腕５８がそれぞれ設けられており、端子収容室５１内に挿入された端子金具５４と係合して端子金具５４の抜けが阻止される。
【０００５】
一方、端子係止具５５は、蓋体５９、６０間を連結する複数の隔壁板６１によって端子収容室５１に対応した開口部６２が複数設けられている。蓋体５９、６０には、端子収容室５１に対応して端子係止部６３がそれぞれ形成されている。また、端子係止具５５の蓋体５９、６０はロッキングアーム５６、５７に対応した係止突条６４、６５が形成されている。
【０００６】
そして、係止具挿入部５３内に端子係止具５５を仮係止させた状態で電線端末の端子金具５４を端子収容室５１内にそれぞれ挿入すると、可撓性係止腕５８が端子金具５４に係合することで端子金具５４の抜けが阻止される。次ぎに、端子係止具５５を係止具挿入部５３内に本係止させることにより、端子収容室５１内の端子金具５４に端子係止部６３が係合する。これにより端子収容室５１内からの端子金具５４の抜けが端子係止部６３により阻止される。また、この状態では、係止突条６４、６５がロッキングアーム５６、５７に係合することによって係止具挿入部５３内からの端子金具５４の抜けが阻止される。
【０００７】
このように、コネクタ５０では、端子係止具５５を係止具挿入部５３内に挿入させることで、可撓性係止腕５８と端子係止具５５の端子係止部６３とで抜けが二重に阻止される。
【先行技術文献】
【特許文献】
【０００８】
【特許文献１】特開平１１−２０４１８６号公報
【発明の概要】
【発明が解決しようとする課題】
【０００９】
ところが、上記コネクタ１では、係止突条６４、６５が係合するロッキングアーム５６、５７がコネクタハウジング５２の両側部の２箇所にしか設けられていないため、コネクタハウジング５２の中央部分で電線に力が加わり、端子金具が端子収容室５１内から抜け出る方向に引かれると、これに伴って端子係止具５５に力が加わり、この力によって端子係止具５５が変形すると、端子係止部６３と端子金具５４との係合代が小さくなり、端子金具５４が端子収容室５１内から抜け出るおそれがある。
【００１０】
特に、電線径が異なる場合、太物の電線端末の端子金具が、小径の電線の端末の端子金具と共に収容されているような場合、太物の電線に引張力が加わると端子係止具５５には大きな力が加わり、この力によって端子係止具が変形したり、がたついて係止具挿入部から離脱するおそれもある。
【００１１】
そこで、本発明は、端子係止具の変形を抑制し、端子金具への係合代を確保することができて係止具挿入部における端子係止具のがたつきを抑制し、端子金具の端子収容室内からの抜けを確実に阻止することができるコネクタの提供を目的とする。
【課題を解決するための手段】
【００１２】
請求項１の発明のコネクタは、複数の端子収容室が並設されたコネクタハウジングと、このコネクタハウジングの係止具挿入部に組み付けられて前記端子収容室に収容された端子金具と係合し前記端子収容室内からの抜けを阻止する端子係止具とを備えたコネクタであって、前記係止具挿入部が前記コネクタハウジングの外周に形成された係止具挿入開口と、前記端子係止具の前記係止具挿入開口から内部に挿入される係止具挿入凹部とで形成され、前記端子係止具は前記係止具挿入部に組み付けられた状態で前記係止具挿入開口を塞ぐ長尺状の蓋体と、この蓋体の長手方向の両側に設けられた一対の係止側板と、前記一対の係止側板間で前記蓋体から並設された極間壁と、この極間壁と一方の係止側板間とを連結し前記蓋体と平行に設けられた連結蓋体とからなり、前記端子係止具の前記一対の係止側板には前記係止具挿入部内の仮係止部に係合する仮係止突起及び前記係止具挿入部内の第１本係止部に係合する第１本係止突起とが設けられ、前記蓋体の前記極間壁の近傍に前記係止具挿入部内の前記第２本係止部に係合する第２本係止突起を設けたことを特徴とする。
【００１３】
請求項２の発明のコネクタは、請求項１記載のコネクタであって、前記極間壁には、前記第２本係止部への前記第２本係止突起の係合状態を案内すると共に、前記係止具挿入部内の係止溝に係合するリブが設けられていることを特徴とする。
【００１４】
請求項３の発明のコネクタは、請求項１又は請求項２記載のコネクタであって、前記端子収容室は、小径の電線の端末に接続された小端子金具が収容される小端子用収容室と、この小端子用収容室より大きく大径の電線の端末に接続された大端子用収容室とからなり、前記端子係止具は、前記一方の係止側板と前記極間壁との間に前記蓋体と前記連結蓋体とを連結する隔壁により前記小端子用収容室に対応して区画された複数の端子挿入室が設けられ、前記他方の係止側板と前記極間壁との間に前記大端子用収容室に対応した端子挿入部が設けられていることを特徴とする。
【００１５】
請求項４の発明のコネクタは、請求項１〜３のいずれか一項に記載のコネクタであって、前記係止側板の一側に前記仮係止突起がそれぞれ設けられ、前記係止側板の他側に前記第１本係止突起がそれぞれ設けられ、該第１本係止突起と同じ側に前記第２本係止突起が設けられ、該第２本係止突起は、前記蓋体から延設された可撓性アームと、この可撓性アームの先端側に設けられた突部とからなることを特徴とする。
【００１６】
請求項５の発明のコネクタは、請求項１〜４のいずれか一項に記載のコネクタであって、前記コネクタハウジングには、前記第２本係止突起が挿入される溝部が設けられ、この溝部は前記コネクタハウジングに設けられた前記係止具挿入開口の縁部で開口していることを特徴とする。
【発明の効果】
【００１７】
請求項１の発明のコネクタでは、蓋体の極間壁の近傍に係止具挿入部内の第２本係止部に係合する第２本係止突起を設けたことにより、一対の係止側板の第１本係止突起とで端子係止具を３箇所で係合するので、電線に加わる引張力に起因する力が端子係止具に加わっても端子係止具の変形を抑制することができ、がたつきも抑制することができる。これにより、端子金具への係合代を確保することができて、端子金具の端子収容室内からの抜けを確実に阻止することができる。
【００１８】
請求項２の発明のコネクタでは、極間壁に、第２本係止部への第２本係止突起の係合状態を案内すると共に、係止具挿入部内の係止溝に係合するリブを設けたことにより、係止具挿入部内へ端子係止具挿入する際に、仮係止突起や第１、第２本係止突起がコネクタハウジングに引っ掛かったり、異物による各係止突起の破損を防止することができる。また、リブが係止具挿入部内の係止溝に係合することによって係止具挿入部内での端子係止具のがたつきを抑制することができる。
【００１９】
請求項３の発明のコネクタでは、大端子用収容室内の大端子金具に太物電線の引張力による力が加わり、端子係止具にこの力が加わっても、大端子用収容室と小端子用収容室との間に極間壁が設けられ、この極間壁の近傍に第２本係止突起が設けられているので、太物電線の引張りにより電線が端子係止具に当たっても端子係止具が横振れしたり、係止具挿入部からの端子係止具の離脱方向への浮きを抑制することができる。
【００２０】
請求項４の発明のコネクタでは、一対の係止側板にそれぞれ設けられた第１本係止突起と同じ側に第２本係止突起を設けたことにより、係止具挿入部内に挿入された端子係止具に力が加わっても、がたつきや変形をより抑制することができる。
【００２１】
請求項５の発明のコネクタでは、第２本係止突起が挿入されるコネクタハウジングの溝部が、コネクタハウジングの係止具挿入開口の縁部で開口していることにより、係止具挿入部内での端子係止具の横振れを防止することができる。
【図面の簡単な説明】
【００２２】
【図１】本発明の実施形態のコネクタを示し、係止具挿入部に端子係止具を仮係止位置に挿入した状態を示す斜視図である。
【図２】（ａ）は図１に示すコネクタの第２本係止部とこの第２本係止部が挿入される溝部を拡大した一部斜視図、（ｂ）は図３のIIｂ−IIｂ線に沿って切断した断面図である。
【図３】図１に示すコネクタの正面図である。
【図４】図１に示すコネクタのコネクタハウジングと端子係止具を示し、図１のＩＶ−ＩＶ線に沿って切断した断面図である。
【図５】本発明の実施形態のコネクタの係止具挿入部に挿入される端子係止具を示す斜視図である。
【図６】係止具挿入部に端子係止具を挿入し、仮係止突起が仮係止部に係合した状態及び第１本係止突起が第１本係止部に係合した状態を示す断面図である。
【図７】係止具挿入部に端子係止具を挿入し、第２本係止突起が第２本係止部に係合し、リブが係止溝に係合した状態を示す断面図である。
【図８】端子係止具の変形例を示す斜視図である。
【図９】従来例のコネクタを示す分解斜視図である。
【図１０】従来例のコネクタハウジングと端子係止具とを示す斜視図である。
【発明を実施するための形態】
【００２３】
以下、本発明の実施形態を図面に基づいて説明する。
【００２４】
図１に示すように、本発明に係るコネクタ１は、複数の端子収容室２が並設されたコネクタハウジング３と、このコネクタハウジング３の係止具挿入部４に組み付けられて端子収容室２に収容された端子金具と係合し端子収容室２内からの抜けを阻止する端子係止具５とを備えている。
【００２５】
また、本実施形態のコネクタ１は、係止具挿入部４がコネクタハウジング３の外周に形成された係止具挿入開口６と、端子係止具５が係止具挿入開口６から内部に挿入される係止具挿入凹部７とで形成され、端子係止具５は係止具挿入部４に組み付けられた状態で係止具挿入開口６を塞ぐ長尺状の蓋体８と、この蓋体８の長手方向の両側に設けられた一対の係止側板９、１０と、一対の係止側板９、１０間で蓋体８から立設された極間壁１１と、この極間壁１１と一方の係止側板９間とを連結し蓋体８と平行に設けられた連結蓋体１２とからなる。
【００２６】
さらに、本実施形態のコネクタ１は、端子係止具５の一対の係止側板９、１０には係止具挿入部４内の仮係止部１３、１３に係合する仮係止突起１４、１４及び係止具挿入部４内の第１本係止部３２、３２に係合する第１本係止突起１５、１５とが設けられ、蓋体８の極間壁１１の近傍に係止具挿入部４内の第２本係止部１６に係合する第２本係止突起１７が設けられていることを特徴としている。
【００２７】
以下に本実施形態のコネクタ１について説明する。
【００２８】
上記コネクタハウジング３は、図１乃至図４に示すように、樹脂にて一体成形され内部に複数の端子収容室２が前後方向（相手コネクタとの嵌合方向）に貫通して形成されている。端子収容室２は、小径の電線の端末に接続された比較的小型の端子金具が収容される小端子用収容室１８と、大径の電線の端末に接続された比較的大型の端子金具が収容される大端子用収容室１９とで構成されている。
【００２９】
小端子用収容室１８は、コネクタハウジング３の幅方向（相手コネクタとの嵌合方向に対して交差する方向）の一側に上下２段に形成され、各段には区画壁２０で区画された６個ずつの小端子用収容室１８が並設されている。大端子用収容室１９は、コネクタハウジング３の幅方向の他側に１個設けられている。また、小端子用収容室１８内には、内壁から可撓性係止腕２２ｂ（図２（ｂ）参照）が設けられ、大端子用収容室１９内には、内壁から可撓性係止腕２２ａ（図３参照）がそれぞれ突設されている。これらの可撓性係止腕２２ａ、２２ｂは、小型の端子金具、大型の端子金具とそれぞれ係合し、小端子用収容室１８、大端子用収容室１９内からの端子金具の抜けが阻止される。また、小端子用収容室１８と大端子用収容室１９との間には、所定の隙間２３が設けられ、小端子用収容室１８及び大端子用収容室１９の前後方向に中間部（コネクタハウジング３の前後方向の中間部）に、幅方向全域にわたり係止具挿入部４が形成されている。
【００３０】
係止具挿入部４には、コネクタハウジング３の幅方向全域にわたり開口した係止具挿入開口６が設けられ、この係止具挿入開口６からコネクタハウジング３の内部に向けて係止具挿入凹部７が形成されている。係止具挿入開口６は、コネクタハウジング３の幅方向の両側部の係止側板挿入開口２４、２４と、これらの係止側板挿入開口２４、２４の間を連通する連結蓋体挿入開口２５とで形成されている。また、連結蓋体挿入開口２５には、係止具挿入凹部７の内壁に設けた溝部２１の矩形状の溝部開口２６が一側の開口縁部に設けられている。これらの係止側板挿入開口２４、２４、連結蓋体挿入開口２５内からは端子係止具５が、係止具挿入凹部７内に挿入される。
【００３１】
係止具挿入凹部７は、図６に示すように、コネクタハウジング３の両側部の係止側板凹部２７、２７と、図７に示すように、これらの係止側板凹部２７、２７と連通する連結蓋体凹部２８と形成され、係止側板凹部２７、２７内には、係止側板９、１０がそれぞれ挿入され、連結蓋体凹部２８内には、端子係止具５の連結蓋体１２が挿入される。係止側板凹部２７、２７の内壁の一方（コネクタハウジング３の嵌合方向の一側の内壁）に、仮係止部１３、１３がそれぞれ設けられている。
【００３２】
また、係止側板凹部２７、２７の内壁の他方（コネクタハウジング３の嵌合方向の他側の内壁）には、仮係止部１３、１３より係止側板挿入開口２４側に第１本係止部３２、３２が設けられている。
【００３３】
さらに、本実施形態における連結蓋体凹部２８の内壁の他方（コネクタハウジング３の嵌合方向の他側の内壁）には、小端子用収容室１８と大端子用収容室１９との間に位置すると共に、第１本係止部３２、３２間に第２本係止部１６が設けられている。
【００３４】
なお、図４及び図６に示すように、連結蓋体凹部２８の底壁２９には、係止溝３０が形成されている。この係止溝３０内には、後述する端子係止具５の極間壁１１に設けたリブ３１が係止される。
【００３５】
端子係止具５は、図５に示すように、長尺状の蓋体８と、この蓋体８の長手方向の両側に設けられた一対の係止側板９、１０と、一対の係止側板９、１０間で蓋体８から立設された極間壁１１と、この極間壁１１と一方の係止側板９間とを連結し蓋体８と平行に設けられた連結蓋体１２とで形成されている。また、蓋体８には、各端子挿入室３４に端子係合部４０がそれぞれ設けられ、連結蓋体１２にも、各端子挿入室３４ごとに端子係合部４０がそれぞれ設けられている。端子係合部４０は、高さの低い係合部４０ａと、この係合部４０ａより高く、一方の隔壁３３側の係合部４０ｂとで構成されている。
【００３６】
また、他方の係止側板１０側の端子挿入部３５には蓋体８から突出した端子係合部４３が設けられている。
【００３７】
端子係止具５の一対の係止側板９、１０には、係止具挿入部４内の仮係止部１３、１３に係合する仮係止突起１４、１４及び係止具挿入部４内の第１本係止部３２、３２に係合する第１本係止突起１５、１５とが設けられ、蓋体８の極間壁１１の近傍に係止具挿入部４内の第２本係止部１６に係合する第２本係止突起１７が設けられている。
【００３８】
上記仮係止突起１４は、係止側板９、１０のそれぞれの一側片から延設される可撓性のアーム部３６と、このアーム部３６の先端に形成された突部３７とで形成され、図６に示すように係止具挿入部４において仮係止部１３に突部３７が係合した状態で端子係止具５が仮係止状態となる。
【００３９】
第１本係止突起１５は、係止側板９、１０のそれぞれの他側片から突設された山形状の突部３８と、この突部３８より内側に設けられて突部３８に可撓性を与えるスリット３９とで形成され、図６に示すように係止具挿入部４において仮係止状態からさらに係止具挿入凹部７内に端子係止具５を挿入すると第１本係止部３２に係合して本係止状態となる。
【００４０】
第２本係止突起１７は、図５に示すように、極間壁１１の近傍に設けられ、蓋体８から延設された可撓性アーム４１と、この可撓性アーム４１の先端側に設けられた突部４２とから形成されている。突部４２の蓋体８からの高さ位置、すなわち係止側板９の上下方向の高さ位置は、第１本係止突起１５の高さ位置と略等しく設定されており、第１本係止突起１５が図６に示すように、第１本係止部３２に係合した状態では、第２本係止突起１７の突部４２が第２本係止部１６に係合する。
【００４１】
次ぎに図４及び図８に示す変形例の端子係止具５Ａは、極間壁１１に、第２本係止部１６への第２本係止突起１７の係合状態を案内すると共に、係止具挿入部４内の係止溝３０（図４参照）に係合するリブ３１が設けられている。他の構成は、端子係止具５と同じなので説明は省略する。
【００４２】
以下、上記コネクタ１におけるコネクタハウジング３の係止具挿入部４内に端子係止具５を挿入し、小端子用収容室１８、大端子用収容室１９内に収容されている小型の端子金具、大型の端子金具の抜けを阻止する手順について説明する。
【００４３】
コネクタハウジング３の小端子用収容室１８、大端子用収容室１９内に各端子金具を挿入しない状態で、係止具挿入部４内に端子係止具５を仮係止状態に挿入する。係止具挿入部４内に端子係止具５を挿入するには、係止具挿入開口６に端子係止具５を位置合わせした状態、すなわち、係止側板９、１０を係止側板挿入開口２４に位置合わせし、連結蓋体挿入開口２５に連結蓋体１２を位置合わせする。この状態から、蓋体８を係止具挿入凹部７側に押圧し、係止具挿入凹部７内に挿入する。係止具挿入凹部７内に連結蓋体１２及び極間壁１１を挿入すると、図６の二点鎖線で示すように、仮係止突起１４の突部３７が、仮係止部１３に係合し、仮係止状態となる。
【００４４】
次ぎに、端子係止具５が係止具挿入部４内で仮係止状態で、小端子用収容室１８、大端子用収容室１９内に、各端子金具を挿入する。小端子用収容室１８にそれぞれ収容された小型の端子金具は可撓性係止腕２２ｂに係合し、大型の端子金具は可撓性係止腕２２にそれぞれ係合する。
【００４５】
この状態から、蓋体８を押圧して端子係止具５を係止具挿入部４内に押し込むと、図６の実線で示すように、仮係止突起１４の突部３７が仮係止部１３を乗り越えて、仮係止部１３の下部側に位置すると共に、第１本係止突起１５が第１本係止部３２に係合する。これと共に、図７に示すように、第２本係止突起１７の突部４２が第２本係止部１６に係合し、端子係止具５が係止具挿入部４に本係止される。
【００４６】
端子係止具５が係止具挿入部４に本係止されると、小端子用収容室１８内の端子金具は端子係止具５の端子係合部４０に係合してその抜けが阻止され、大端子用収容室１９内端子金具は、端子係合部４３に係合してその抜けが阻止される。この場合、小端子用収容室１８内の小型の端子金具は可撓性係止腕２２ｂと、端子係合部４０とによりその抜けが二重に阻止され、大端子用収容室１９内の大型の端子金具は可撓性係止腕２２と、端子係合部４３とによってその抜けが二重に阻止される。
【００４７】
本実施形態のコネクタ１によれば、蓋体８の極間壁１１の近傍に係止具挿入部４内の第２本係止部１６に係合する第２本係止突起１７を設けたことにより、一対の係止側板９、１０の第１本係止突起１５とで、係止具挿入部４に端子係止具を３箇所で係合するので、電線に加わる引張力に起因する力が端子係止具５に加わっても端子係止具５の変形を抑制することができ、がたつきも抑制することができる。これにより、端子金具への係合代を確保することができて、端子金具の端子収容室２内からの抜けを確実に阻止することができる。
【００４８】
また、極間壁１１に、第２本係止部１６への第２本係止突起１７の係合状態を案内すると共に、係止具挿入部４内の係止溝３０に係合するリブ３１を設けたことにより、係止具挿入部４内へ係止具挿入部４を挿入する際に、仮係止突起１４や第１、第２本係止突起１５、１７がコネクタハウジング３に引っ掛かったり、異物による各係止突起１５、１７の破損を防止することができる。また、リブ３１が係止具挿入部４内の係止溝３０に係合することによって係止具挿入部４内での端子係止具５のがたつきを抑制することができる。
【００４９】
また、大端子用収容室１９内の大端の子金具に太物電線の引張力による力が加わり、端子係止具５にこの力が加わっても、大端子用収容室１９と小端子用収容室１８との間に極間壁１１が設けられ、この極間壁１１の近傍に第２本係止突起１７が設けられているので、太物電線の引張りにより、電線が端子係止具５に当たっても端子係止具５が横振れしたり、係止具挿入部４からの端子係止具５の離脱方向への浮きを抑制することができる。
【００５０】
さらに、一対の係止側板９、１０にそれぞれ設けられた第１本係止突起１５と同じ側に第２本係止突起１７を設けたことにより、係止具挿入部４内に挿入された端子係止具５に力が加わっても、がたつきや変形をより抑制することができる。
【００５１】
また、第２本係止突起１７が挿入されるコネクタハウジング３の溝部が、コネクタハウジング３の係止具挿入開口６の縁部で開口２６していることにより、係止具挿入部４内での端子係止具５の横振れを防止することができる。
【００５２】
また、上記実施形態では、極間壁１１にリブ３１を設けることにより端子係止具５の強度を向上することができる。
【符号の説明】
【００５３】
１  コネクタ
２  端子収容室
３  コネクタハウジング
４  係止具挿入部
５  端子係止具
６  係止具挿入開口
７  係止具挿入凹部
８  蓋体
９、１０  一対の側板
１１  極間壁
１２  連結蓋体
１３  仮係止部
１４  仮係止突起
１５  第１本係止突起
１６  第２本係止部
１７  第２本係止突起
１８  小端子用収容室
１９  大端子用収容室
３２  第１本係止部
【図１】
2010262849.tif 000003
【図２】
2010262849.tif 000004
【図３】
2010262849.tif 000005
【図４】
2010262849.tif 000006
【図５】
2010262849.tif 000007
【図６】
2010262849.tif 000008
【図７】
2010262849.tif 000009
【図８】
2010262849.tif 000010
【図９】
2010262849.tif 000011
【図１０】
2010262849.tif 000012